(57)【要約】      （修正有）【課題】産業的処理負担を少なくするため、プラスチック容器に貼られた表示ラベル部分について、脱離が容易な付加体を備えた容器を提供する。【解決手段】容器は、容器本体１と付加体２を有し、付加体２は、付加体２の端部の少なくとも１個所の接合部２Ｂとラベル収納空隙２Ｄを備え、若しくは、付加体２の１部分に線条の略断面縮小加工構造２Ａを備え、容器本体１の少なくとも１個所以上の上部表面と接合部２Ｂで接合する。【選択図】図１
0003229246.tif 000002
【実用新案登録請求の範囲】
【請求項１】
線条の略断面縮小加工構造「（Ａ−Ａ）−（１），（Ａ−Ａ）−（２）に表示の２Ａ、若しくはミシン目、丸孔加工（図２）」を備えた付加体（２）を、少なくとも一箇所以上の場所に容器本体（１）の上部表面で接合し（２Ｂ）、後に、その付加体を容器本体（１）から脱離できることを特徴とする付加体と一体的に形成された構造の容器
【考案の詳細な説明】
【技術分野】
【０００１】本考案は、フードパック、や産業部品の容器の廃棄時に、ラベルを貼った付加体と容器本体を分けて離脱できる容器を提供することにある。
【背景技術】
【０００２】従来、フードパックは容器に、強固に貼られたラベルを離脱するためには、ハサミ、カッター、加熱、溶剤、水、気体、機械、で焼却していた
【先行技術文献】
【特許文献】
【特許文献】（特開昭４９−０７７７８８）から（特開２０１９−１９６２３１）には無い
【０００３】
【非特許文献】
【０００４】
【考案の概要】
【考案が解決しようとする課題】    「課題―１」【０００５】  家庭段階では、前記理由でゴミ扱いし、リサイクル費用、ＣＯ２気候災害、プラスチック海洋汚染、ラップフィルム増加、資源浪費、環境汚染を伴っている
「課題―２」【０００６】  通気孔（１Ａ）は、洗浄不要野菜に必要な反面、一方、刺身、惣菜などには塵侵入し、一長一短があった、通気孔（１Ａ）が開放形、閉形２種類の容器の製造と管理費用が発生した
「課題―３」【０００７】通気孔（１Ａ）付容器は重ねることができない（呼吸、熱放射にマイナス）
【課題を解決するための手段】
【言語の意味】
「付加体」とは、ラベルなどを貼るために容器本体の蓋表面にシート状、若しくはシートの一部が折曲形状で、透明で、容器本体と略同一のプラスチックシートの意
「接合部」とは、付加体と蓋が熱、加圧、超音波、接着等により一体化した領域
「容器本体」とは、下収納部と上蓋がヒンジ一体タイプ、と分離タイプと合わせた意
「線条の断面縮小加工構造」とは、線条部の断面積を減少させて切れ易くした構造の意
「課題―１」は、  「実用新案請求の範囲」に記載
【０００８】「課題―２」は、  折り曲げ隙間形の付加体（２Ｃ）とし（Ａ−Ａ）−（２）通気孔のカバー、及び吹き抜けを兼用する。また、
「課題―３」は、複数の付加体の高さを一致させ２段重ねることが可能になる、
ストレート形付加体（Ａ―Ａ）−（１）を用いて通気孔を塞ぐこともできる
【考案の効果】
【０００９】家庭でラベルと付加体を処分でき、塵無容器本体のリサイクルを容易にする
【００１０】「課題―２」について、
２種類の付加体（前記）を必要なタイミングで選択が可能となり、容器の種類は通気孔（１Ａ）を備えた１種類に絞れてコスト削減効果がある
【００１１】「複数の付加体の場合」は、一つ目の付加体は、商品名、消費期限、保存方法、内容量、栄養成分、二つ目の付加体は、品質、食べ方、バーコード表示し、各々内容物ごとに仕分けして付加体の大小、や配置を替えることで、野菜、肉，総菜など選択特異性を活用できる効果がある
【図面の簡単な説明】
【００１２】
【図１】本考案容器上面図（実施例１）、付加体数２（１以上もあり）、及び、上記側面図  ［（Ａ−Ａ）―（１）］付加体（２）側面拡大図、１つの付加体（２）について両側端部の接合部（２Ｂ）から見て中央側の直近寄り側部分に線条の略断面縮小加工構造Ｖ形切込溝（２Ａ）、と接合部（２Ｂ）を各々備え、付加体がストレートなタイプ  ［（Ａ−Ａ）−（２）］付加体（２）側面拡大図、通気孔（１Ａ）の場所にカバーし塵侵入を防止、及び、隙間（２Ｃ）の通気用を兼ねて折り曲げ形状タイプとす
【図２】線条について、  ミシン目、丸孔の始まりにスリット加工図（下図）
【図３】容器本体の通気孔（１Ａ）拡大平面図
【考案を実施するための形態】
【実施例１】
【００１３】（２Ｂ）接合部について、プレス、加熱加工により強固にし、一方、ラベルを貼る付加体は線条部から容易に剥がせる容器にする
【実施例２】  付加体に凹凸加工、やカラー印刷し、センサーに活用し、「線条について」Ｖ形溝加工（２Ａ）は上面、下面、両面加工タイプもできる
【実施例３】  通気隙間（２Ｃ）の開口付近の入口、若しくは反対側の（２Ｃ）隙間付近に蓋や付加体内面の１部分にお凹凸突状形成することで差込紙の落下防止になる
【実施例４】  材質について、化石資源、生分解性プラスチックで透明が望ましい、容器の形状は、丸、太鼓、楕円、正４方形もある
【実施例５】接合部（２Ｂ）、略断面縮小加工構造を備えた付加体の数量は４辺、３辺にも付いたもの、や付加体が曲面でも可能である
【産業上の利用の可能性】
【００１４】食べ物、化粧道具、小型電気製品の収容容器
【符号の説明】
【００１５】１  容器本体
２  付加体
１Ａ  通気孔
２Ａ  線条部実施例Ｖ溝加工
２Ｂ  接合部
２Ｃ  通気隙間
【図１】
0003229246.tif 000003
【図２】
0003229246.tif 000004
【図３】
0003229246.tif 000005
【手続補正書】
【提出日】令和2年3月17日(2020.3.17)
【手続補正１】
【補正対象書類名】実用新案登録請求の範囲
【補正対象項目名】全文
【補正方法】変更
【補正の内容】
【実用新案登録請求の範囲】
【請求項１】
付加体の端部の少なくとも１個所に接合部分、とラベル収納空隙（２Ｄ）を備えた付加体（２）、
若しくは付加体の１部分に線条の略断面縮小加工構造（２Ａ）等を備えた付加体（２）を、容器本体（１）の少なくとも１個所以上の上部表面で接合し（２Ｂ），一体的に形成することにより、後に、ラベルのみ、若しくはラベルと共に付加体、を容器本体から脱離可能にすることを特徴とする構造の容器
【請求項２】
付加体の一部分が略折曲形状「（Ａ−Ａ）−（２）」であることを特徴とすることで、通気性の確保と共に、付加体内面近くに保持し、ラベルのみを抜差しする構造の「請求項１」記載の容器
【手続補正２】
【補正対象書類名】明細書
【補正対象項目名】全文
【補正方法】変更
【補正の内容】
【考案の詳細な説明】
【技術分野】
【０００１】本考案は、フードパック、や産業部品の容器の廃棄時に、ラベルを貼った付加体と容器本体を分けて離脱できる容器を提供することにある。
【背景技術】
【０００２】従来、フードパックは容器に、強固に貼られたラベルを離脱するためには、ハサミ、カッター、加熱、溶剤、水、気体、機械、でパレットや、焼却していた
【先行技術文献】
【特許文献】
【特許文献】（特開昭４９−０７７７８８）から（特開２０１９−１９６２３１）には無い
【０００３】
【非特許文献】
【０００４】
【考案の概要】
【考案が解決しようとする課題】  「課題―１」【０００５】  家庭段階では、前記理由でゴミ扱いし、リサイクル費用、ＣＯ２気候災害、プラスチック海洋汚染、ラップフィルム増加、資源浪費、環境汚染を伴っている
「課題―２」【０００６】  通気孔（１Ａ）は、洗浄不要野菜に必要な反面、一方、刺身、惣菜などには塵侵入し、一長一短があった、通気孔（１Ａ）が開放形、閉形２種類の容器の製造と管理費用が発生した
「課題―３」【０００７】  通気孔（１Ａ）付容器は重ねることができない（呼吸、熱放射にマイナス）
【課題を解決するための手段】
【言語の意味】
「付加体」とは、ラベルなどを貼るために容器本体の蓋表面にシート状、若しくはシートの一部が折曲形状で、透明で、容器本体と略同一のプラスチックシートの意
「接合部」とは、付加体と蓋が熱、加圧、超音波、接着等により一体化した領域
「容器本体」とは、下収納部と上蓋がヒンジ一体タイプ、と分離タイプと合わせた意
「線条の断面縮小加工構造」とは、線条部の断面積を減少させて切れ易くした構造の意
「課題―１」は、  「実用新案請求の範囲」に記載
【０００８】「課題―２」は、  折り曲げ隙間形の付加体（２Ｃ）とし（Ａ−Ａ）−（２）通気孔のカバー、及び通気の妨げにならない付加体最近面、ラベルの明瞭性も維持する
「課題―３」は、複数の付加体の高さを一致させ２段重ねることが可能になる、ストレート形付加体（Ａ−Ａ）−（１）を用いて通気孔を塞ぐこともできる
【考案の効果】
【０００９】家庭でラベルと付加体を処分でき、塵無容器本体のリサイクルを容易にする
【００１０】「課題―２」について、
２種類の付加体（前記）を必要なタイミングで選択が可能となり、容器の種類は通気孔（１Ａ）を備えた１種類に絞れてコスト削減効果がある
【００１１】「複数の付加体の場合」は、一つ目の付加体は、商品名、消費期限、保存方法、内容量、栄養成分、二つ目の付加体は、品質、食べ方、バーコード表示し、各々内容物ごとに仕分けして付加体の大小、や配置を替えることで、野菜、肉，総菜など選択特異性を活用できる効果がある
【図面の簡単な説明】
【００１２】
【図１】本考案容器上面図（実施例１）、付加体数２（１以上もあり）、及び、上記側面図  「（Ａ−Ａ）―（１）」付加体（２）側面拡大図、１つの付加体（２）について両側端部の接合部（２Ｂ）から見て中央側の直近寄り側部分に線条の略断面縮小加工構造Ｖ形切込溝（２Ａ）、と接合部（２Ｂ）を各々備え、付加体がストレートなタイプ「（Ａ−Ａ）−（２）」付加体（２）側面拡大図、通気孔（１Ａ）の場所にカバーし塵侵入を防止、及び、隙間（２Ｃ）の通気用を兼ねて折り曲げ形状タイプとす
【図２】線条について、ミシン目、丸孔の始まりにスリット加工図（下図）
【図３】容器本体の通気孔（１Ａ）拡大平面図
【図４】は、「実施例３」記載内容を図面追加により補足説明
【考案を実施するための形態】
【００１３】
【実施例１】（２Ｂ）接合部について、プレス、加熱加工により強固にし、一方、ラベルを貼る付加体は線条部から容易に剥がせる容器にする
【実施例２】  付加体に凹凸加工、やカラー印刷し、センサーに活用し、「線条について」Ｖ形溝加工（２Ａ）は上面、下面、両面加工タイプもできる
【実施例３】  通気隙間（２Ｃ）の開口付近の入口、若しくは反対側の（２Ｃ）隙間付近に蓋や付加体内面の１部分にお凹凸突状形成することで差込紙の落下防止になる
【実施例４】  材質について、化石資源、生分解性プラスチックで透明が望ましい、容器の形状は、丸、太鼓、楕円、正４方形もある
【実施例５】接合部（２Ｂ）、略断面縮小加工構造を備えた付加体の数量は４辺、３辺にも付いたもの、や付加体が曲面でも可能である
【産業上の利用の可能性】
【００１４】  食べ物、化粧道具、小型電気製品の収容容器
【符号の説明】
【００１５】１  容器本体
２  付加体
１Ａ    通気孔
２Ａ    線条部実施例Ｖ溝加工
２Ｂ    接合部
２Ｃ    通気隙間
２Ｄ    隙間
Ｅ    ストッパーが  凸型の１例
ＷＲ    ラベル
Ｆ    ストッパーが  凹型の１例
【手続補正３】
【補正対象書類名】図面
【補正対象項目名】全図
【補正方法】変更
【補正の内容】
【図１】
0003229246.tif 000006
【図２】
0003229246.tif 000007
【図３】
0003229246.tif 000008
【図４】
0003229246.tif 000009
【手続補正書】
【提出日】令和2年8月15日(2020.8.15)
【手続補正１】
【補正対象書類名】実用新案登録請求の範囲
【補正対象項目名】全文
【補正方法】変更
【補正の内容】
【実用新案登録請求の範囲】
【請求項１】
付加体の端部の少なくとも１個所に接合部分、とラベル収納空隙（２Ｄ）を備えた付加体（２）、
若しくは付加体の１部分に線条の略断面縮小加工構造（２Ａ）等を備えた付付加体（２）を、容器本体（１）の少なくとも１個所以上の上部表面で接合し（２Ｂ）一体的に形成することにより、後に、ラベルのみ、若しくはラベルと共に付加体を容器本体から脱離可能にすることを特徴とする構造の容器。
【請求項２】
付加体の中央部分を上方向に略水平に高くすることにより、容器上面に少なくともラベルを抜差し、若しくは通気孔（１Ａ）からの通気空間とする二つの機能を備えた構造の「請求項１」記載の容器。